(57)【特許請求の範囲】
【請求項１】
回転子と、
空隙を隔てて前記回転子と対向するように設置された固定子と、
前記回転子の回転子鉄心に形成された複数の磁石収容孔それぞれに挿入された複数の永久磁石と、
前記回転子の回転子鉄心において前記磁石収容孔のそれぞれの径方向外側に形成された複数のスリットとを備えた永久磁石埋込型電動機であって、
前記複数の永久磁石のそれぞれの径方向外側の表面と、前記回転子鉄心との間には、前記複数のスリットの対向する領域毎に、空間部が確保されており、前記永久磁石の前記表面は、前記複数のスリットの対向する領域毎に、前記空間部を介して前記回転子鉄心から離れている、
永久磁石埋込型電動機。
【請求項２】
前記磁石収容孔のそれぞれの外側画定ラインには、前記複数のスリットと対向する位置に配置された複数の窪み部が形成されており、
複数の前記空間部は、前記複数の窪み部によって確保されている、
請求項１の永久磁石埋込型電動機。
【請求項３】
前記複数の永久磁石のそれぞれの径方向外側の表面には、前記複数のスリットと対向する位置に配置された複数の窪み部が形成されており、
複数の前記空間部は、前記複数の窪み部によって確保されている、
請求項１の永久磁石埋込型電動機。
【請求項４】
前記磁石収容孔のそれぞれの外側画定ラインには、前記複数のスリットと対向する位置に配置された複数の窪み部が形成されており、
前記複数の永久磁石のそれぞれの径方向外側の表面には、前記複数のスリットと対向する位置に配置された複数の窪み部が形成されており、
複数の前記空間部は、前記外側画定ラインにある前記複数の窪み部と、前記径方向外側の表面にある前記複数の窪み部と、によって確保されている、
請求項１の永久磁石埋込型電動機。
【請求項５】
前記複数の窪み部は、一つの極において同じ深さを有しており、
前記複数の窪み部の深さは、前記永久磁石の径方向の厚み寸法の１／３以下である、
請求項２〜４の何れか一項の永久磁石埋込型電動機。
【請求項６】
前記複数の窪み部は、一つの極において磁極中央部に近い該窪み部ほど深さ寸法が小さく、極間部に近い該窪み部ほど深さ寸法が大きくなるように、形成されている、
請求項２〜４の何れか一項の永久磁石埋込型電動機。
【請求項７】
前記永久磁石は、常温における残留磁束密度が１．２Ｔ以上、常温におけるＪ保磁力が２３ｋＯｅ未満のＮｄ・Ｆｅ・Ｂ系の希土類磁石である、
請求項１〜６の何れか一項の永久磁石埋込型電動機。
【請求項８】
密閉容器内に、電動機と、圧縮要素とを備えた圧縮機であって、
前記電動機は、請求項１〜７の何れか一項の永久磁石埋込型電動機である、
圧縮機。
【発明の詳細な説明】
【技術分野】
【０００１】
本発明は、永久磁石を回転子鉄心の内部に埋め込んだ永久磁石埋込型電動機、及び、それを備えた圧縮機に関するものである。
【背景技術】
【０００２】
近年、省エネ意識の高まりから、残留磁束密度の高いＮｄ・Ｆｅ・Ｂ系の希土類永久磁石を回転子に用いることによって高効率化を実現した永久磁石型電動機が多く提案されている。【０００３】
特に、冷凍・空調機器に用いられる圧縮機用の電動機には、回転子鉄心内部に永久磁石を埋め込んだ永久磁石埋込型電動機が多く用いられている。回転子鉄心の内部には、複数の永久磁石を埋め込むための複数の磁石収容孔が設けられている。これら永久磁石の外形側の鉄心部には、電動機に発生する電磁加振力を抑制するため、半径方向に延びるスリットが設けられている。【０００４】
例えば、特許文献１の図２に開示された永久磁石埋込型電動機の回転子は、永久磁石の鉄心部の外周部近傍に、複数のスリットが設けられている。【０００５】
一方、従来の電動機のなかには、圧縮機の高温雰囲気中で電動機を動作させるため、高温時に希土類磁石が減磁するのを防止すべく、ジスプロシウム（Ｄｙ）を多く添加し、Ｊ保磁力を大きくしていた。特にＧＷＰ（地球温暖化係数）の小さいＲ３２冷媒を用いた場合、従来の４１０Ａ冷媒に比べ圧縮機の温度が１０℃以上上昇するため、Ｄｙの添加量を増やして、Ｊ保磁力を大きくしていた。【０００６】
例えば、特許文献２に開示された圧縮機は、密閉ケーシングの内部に、ブラシレスＤＣモータと圧縮機本体とを互いに同心に設けるとともに、圧縮機本体によって吸入・圧縮・吐出が行われる冷媒としては、Ｒ３２単体またはＲ３２リッチ混合冷媒を採用し、希土類磁石のＪ保磁力を２３ｋＯｅ以上に設定していた。
【先行技術文献】
【特許文献】
【０００７】
【特許文献１】特開２００８−０２２６０１号公報（主に図２参照）
【特許文献２】特開２００１−１１５９６３号公報（主に図１２参照）
【発明の概要】
【発明が解決しようとする課題】
【０００８】
しかしながら、上記特許文献１に示される永久磁石埋込型電動機は、固定子の巻線が作る反磁界（永久磁石の作る磁束に対して逆向きの磁束）が回転子へ印加された場合、磁石の透磁率は空気とほぼ等しく磁束が通りにくいため、磁束は磁気抵抗の小さい方向へ流れようとする。この際、反磁界は、磁気抵抗の最も小さい磁石収容孔と複数のスリットとの間の鉄心部を通過しようとするが、鉄心部の肉厚が薄いため鉄心部が磁気飽和し、複数のスリットと対向する磁石の表面に沿うように通過する。これにより、磁石の表面に反磁界が加わり、磁石の表面が減磁するという課題があった。【０００９】
また、上記特許文献２に示される圧縮機では、冷媒としてＲ３２を用い、磁石の減磁耐力を確保するためにＪ保磁力を２３ｋＯｅ以上に設定していたため、希土類磁石に添加するジスプロシウム（Ｄｙ）が増え、コスト高となっていた。さらに、Ｄｙを多く添加することで、磁石の残留磁束密度（Ｂｒ）が低下し、効率の低下を招いていた。【００１０】
本発明は、上記に鑑みてなされたものであって、電動機に発生する電磁加振力を抑制しつつも、含有材料による減磁防止作用に頼ることなく磁石の表面の減磁耐力を改善することができる、永久磁石埋込型電動機を提供することを目的とする。
【課題を解決するための手段】
【００１１】
上述した目的を達成するため、本発明は、回転子と、空隙を隔てて前記回転子と対向するように設置された固定子と、前記回転子の回転子鉄心に形成された複数の磁石収容孔それぞれに挿入された複数の永久磁石と、前記回転子の回転子鉄心において前記磁石収容孔のそれぞれの径方向外側に形成された複数のスリットとを備えた永久磁石埋込型電動機であって、前記複数の永久磁石のそれぞれの径方向外側の表面と、前記回転子鉄心との間には、前記複数のスリットの対向する領域毎に、空間部が確保されており、前記永久磁石の前記表面は、前記複数のスリットの対向する領域毎に、前記空間部を介して前記回転子鉄心から離れている。
【発明の効果】
【００１２】
本発明によれば、電動機に発生する電磁加振力を抑制しつつも、含有材料による減磁防止作用に頼ることなく磁石の表面の減磁耐力を改善することができる。
【図面の簡単な説明】
【００１３】
【図１】本発明の実施の形態１に係る永久磁石埋込型電動機の断面図である。
【図２】図１に示される回転子鉄心の断面図である。
【図３】図２に示される回転子鉄心の１極分の部分拡大図である。
【図４】図２の回転子鉄心に希土類磁石を収容した状態の回転子を示す図である。
【図５】反磁界による磁束の流れを示す概念図である。
【図６】図４の回転子の変形例を示す断面図である。
【図７】本発明の実施の形態２に関する、図２と同態様の図である。
【図８】本実施の形態２に関する、図３と同態様の図である。
【図９】本実施の形態２に関する、図４と同態様の図である。
【図１０】本実施の形態２に関する、図５と同態様の図である。
【図１１】本実施の形態３に関する、図５と同態様の図である。
【図１２】本発明の実施の形態４に関し、永久磁石埋込型電動機を搭載したロータリ圧縮機の縦断面図である。
【発明を実施するための形態】
【００１４】
以下、本発明に係る永久磁石埋込型電動機及び圧縮機の実施の形態について添付図面に基づいて説明する。なお、図中、同一符号は同一又は対応部分を示すものとする。
【００１５】
実施の形態１．
図１は、本発明の実施の形態１に係る永久磁石埋込型電動機の断面図であり、図２は、図１に示される回転子鉄心を示す断面図であり、図３は、図２の回転子鉄心の１極分の部分拡大図、図４は、図２の回転子鉄心にＮｄ・Ｆｅ・Ｂ系の希土類磁石を収容した状態の回転子を示す図である。なお、図１〜図４は、後述する回転子の回転軸を垂線とする面を紙面としている。
【００１６】
図１において、本発明の実施の形態１に係る永久磁石埋込型電動機５０は、円環状の固定子１と、回転子１００とを備えている。固定子１は、環状を成す固定子鉄心２と、この固定子鉄心２の内周部において周方向（回転子の回転軸を垂線とする面における当該回転軸を中心とする円周の方向、回転子１００の回転軌跡方向）に等角ピッチで形成された複数のスロット３と、各スロット３に収容されたコイル４とを有している。
【００１７】
固定子１の内周側には、回転子１００が回転可能に配設され、回転子１００（回転子鉄心１２）の外周面１５と固定子１の内周面１ａとの間には、円筒状の空隙５が形成されている。なお、図１に示される固定子１は、一例として分布巻の固定子であるが、集中巻の固定子であってもよい。
【００１８】
一方、回転子１００は、主たる構成として、回転軸１１と、回転子鉄心１２と、複数の永久磁石１４とを有している。回転軸１１には、駆動源からの回転エネルギーが伝達され、かかる回転エネルギーによって、回転軸１１の周囲に設けられている回転子鉄心１２が、回転される。回転子鉄心１２と回転軸１１とは、例えば焼嵌および圧入等により連結されている。
【００１９】
さらに、図２及び図３を参照して、回転子の詳細を説明する。図２及び図３には、永久磁石１４を収容する前の回転子鉄心１２が示されている。回転子鉄心１２は、金型で所定形状に打ち抜いたケイ素鋼板（構成板）を、回転軸１１の延びる方向（図２の紙面表裏方向）に複数枚積層して製作される。回転子鉄心１２の外周面１５は、円筒状に形成されている。
【００２０】
回転子鉄心１２には、周方向に沿って並べられた６つの磁石収容孔１３が形成されている。６つの磁石収容孔１３は、同一形状をなしている。また、６つの磁石収容孔１３はそれぞれ、均等な角度範囲にわたって広がっており、また、磁石収容孔１３の各部の径方向の位置も、６つの磁石収容孔１３において同一な態様となっている。
【００２１】
磁石収容孔１３はそれぞれ、図２の紙面において、径方向（回転子の回転軸を垂線とする面における当該回転軸を中心とする半径の方向）でいう外側画定ライン１３ａと、内側画定ライン１３ｂと、一対のエンドライン１３ｃとを有している。一対のエンドライン１３ｃは、回転子鉄心１２の外周面１５の近傍において外側画定ライン１３ａの端部１３ｄ（図３参照）と、内側画定ライン１３ｂの端部１３ｅ（図３参照）とを結んでいる。外側画定ライン１３ａ及び内側画定ライン１３ｂそれぞれの大部分（端部を除く）は、径方向と直交する方向に延びている。
【００２２】
回転子鉄心１２は、回転子鉄心１２の外周面１５と、各磁石収容孔１３のエンドライン１３ｃそれぞれとの間に、外周薄肉鉄心部６を含んでいる。
【００２３】
このように回転子鉄心１２を構成することによって、磁石収容孔１３の両端部（エンドライン１３ｃ）付近の磁気抵抗を大きくすることができる。これにより、磁石の短絡磁束を低減でき、高トルク化が実現できる。
【００２４】
磁石収容孔１３の外側画定ライン１３ａには、外周面１５側に凸となる複数の窪み部８（８ａ〜８ｇ）が設けられている。これらの窪み部８は後述するスリット９（９ａ〜９ｇ）と対向する位置に配置されている。本実施の形態１では、一つのスリット９に対して一つの窪み部８が対応して設けられており、すなわち、窪み部８は、スリット９と同数、設けられている。
【００２５】
また、外側画定ライン１３ａと、複数のスリット９のそれぞれとの間の間隔は、一つの極を通してほぼ同じになっており、複数の窪み部８の径方向の深さも、一つの極を通してほぼ同じに設定されている。窪み部８の深さ寸法は、永久磁石１４の径方向の厚み寸法よりも十分小さく、本実施の形態では、磁石の厚み寸法２ｍｍに対し、０．６ｍｍとなっている。なお、窪み部の深さは、これに限定されるものではなく、磁石の径方向の厚み寸法に対し、１／３以下であれば好適である。
【００２６】
また、窪み部８の幅寸法に関しては、外側画定ライン１３ａに連なる開口部分（上記凸でいう凸の根元部分）が最も大きくなっており、その幅寸法は、後述するスリット９の幅寸法と略等しくなっている。
【００２７】
また、磁石収容孔１３それぞれの内側画定ライン１３ｂの両端には、一対の突起部７が形成されている。一対の突起部７は、径方向外側に向かって突出する。これら突起部７は、永久磁石１４が周方向にずれるのを防止する位置決めの機能を備える。
【００２８】
突起部７の高さとしては、永久磁石１４を挿入した際に、永久磁石１４の長手方向の端面１４ａ（図４参照）と突起部７の側面７ａとが面接触できる寸法が確保されている。面接触部分は、永久磁石１４の寸法公差の下限において、永久磁石１４の位置ずれを防止できる寸法が確保されていればよい。本例では、およそ０．５ｍｍ程度である。
【００２９】
また、回転子鉄心１２における、磁石収容孔１３と外周面１５との間の鉄心部分には、複数の（７本）のスリット９（９ａ〜９ｇ）が配置されている。スリット９（９ａ〜９ｇ）には、磁石収容孔１３や外周面１５につながる開口部はなく、回転子鉄心１２の内部で閉じた形状となっている。また、各磁極のまとまり毎で、複数のスリット９は、概ね径方向に延びており、その概ね径方向に延びる長さに関しては、磁極中央部のスリット９ｄが最も長く、極間部に近づくにつれて長さが減少し、極間部のスリット９ａ、９ｇが最も短い。
【００３０】
回転子鉄心１２において、複数のスリット９のそれぞれと、外周面１５との間には、薄肉の外側鉄心部１７（１７ａ〜１７ｇ）が形成されている。
【００３１】
また、回転子鉄心１２において、複数のスリット９（９ａ〜９ｇ）と、スリット９（９ａ〜９ｇ）に対向して配置した窪み部８（８ａ〜８ｇ）との間は、薄肉の内側鉄心部１８（１８ａ〜１８ｇ）が形成されている。
【００３２】
複数の外側鉄心部１７、及び、複数の内側鉄心部１８のそれぞれの肉厚は、電磁鋼板の板厚程度で構成されている。例えば、０．２ｍｍ〜０．５ｍｍ程度である。
【００３３】
このようにスリット９と、窪み部８と、内側鉄心部１８とを設けることにより、固定子１の巻線の作る磁束は、永久磁石１４の表面を通らずに内側鉄心部１８（１８ａ〜１８ｇ）を通るようになる。また、内側鉄心部が磁気飽和した場合でも、固定子１の巻線の作る磁束は、窪み部８（８ａ〜８ｇ）内の空間を通過するため、永久磁石１４の外周側の表面の減磁耐力を改善できる。
【００３４】
図４及び図５は、図２の回転子鉄心に希土類磁石を収容した状態を示している。図４及び図５に示されるように、磁石収容孔１３それぞれには、対応する永久磁石１４が収容される。すなわち、回転子鉄心１２の磁極を構成する永久磁石１４は、回転子鉄心１２の周方向へ極数と同数だけ配置され、Ｎ極とＳ極とが交互になるように着磁されている。
【００３５】
また、各磁石収容孔１３に対応する永久磁石１４が挿入された状態では、複数の内側鉄心部１８と、永久磁石１４の径方向外側の表面１４ｂとの間には、複数の窪み部８の存在により確保された複数の空間部１０（１０ａ〜１０ｇ）が形成される。換言すると、複数の永久磁石１４のそれぞれの径方向外側の表面１４ｂと、回転子鉄心１２との間には、複数のスリット９の対向する領域毎に、空間部１０が確保されており、永久磁石１４の表面１４ｂは、複数のスリット９の対向する領域毎に、空間部１０を介して回転子鉄心１２から離れている。つまり、スリット９と対向する位置にある、永久磁石１４の径方向外側の表面１４ｂの部分は、回転子鉄心１２の部分（外側画定ライン１３ａ）とは当接せず、対応する空間部１０をはさんで回転子鉄心１２と向き合っている。
【００３６】
永久磁石１４は、常温における残留磁束密度が１．２Ｔ以上、常温におけるＪ保磁力が２３ｋＯｅ未満のＮｄ・Ｆｅ・Ｂ系の希土類磁石である。磁石の形状は平板形状であり、永久磁石１４は一対の突起部７に挟まれるように配置される。
【００３７】
上述したようにスリット９と、窪み部８と、内側鉄心部１８とを形成したことで、磁束１６は、図５に示されるように、回転子鉄心１２において、複数のスリット９の相互の間を通り、永久磁石１４の径方向外側の表面を避け、内側鉄心部１８、および、窪み部８（空間部１０）を経由して、外周薄肉鉄心部６を通り抜けていく。
【００３８】
以上に説明したように、本実施の形態１に係る永久磁石埋込型電動機によれば、複数のスリットにより、電動機に発生する電磁加振力を抑制しつつ、固定子巻線の作る反磁界が永久磁石の径方向外側の表面を通過することを抑制することができ、永久磁石の表面部の減磁を抑制し、トルクの低下が少ない電動機を提供することができる。また、このような永久磁石の表面部の減磁抑制は、永久磁石の含有材料による減磁防止作用に頼ることなく実現されるので、希土類磁石に含まれるＤｙの使用量を削減できコスト低減効果も得ることができる。さらに、Ｄｙの使用量を削減することで、磁石の残留磁束密度が増加し、高トルク化を図ることもできる。すなわち、本実施の形態１によれば、コスト低減と高トルク化との双方を進めつつ、電磁加振力の抑制と永久磁石の表面部の減磁抑制との両立をも図ることができるという、極めて優れた利点が得られる。
【００３９】
また、圧縮機用電動機として用いた場合、窪み部に設けた空間部の中を冷媒が流れるようになり、永久磁石の温度を低減することができ、減磁耐力を改善することができるという更なる利点も得られる。
【００４０】
なお、上述した図１〜図５を用いた説明では、複数の窪み部の深さ寸法を全て同じとしていたが、本実施の形態１は、これに限定されるものではない。例えば、図６に示すように、一つの極において、複数のスリット１０９と複数の窪み部１０８とを、少なくともスリット１０９と対向する位置には、窪み部１０８が設けられているような態様で、設けておき、それら窪み部は、磁極中央部に近い窪み部ほど深さ寸法が小さく（浅く）、極間部に近い窪み部ほど深さ寸法が大きく（深く）なるように、形成されていてもよい。なお、この場合、図６に示すように、両端部（極間部付近）の窪み部１０８ａ、及び、窪み部１０８ｇの対向する位置にはスリットは配置しなくてもよいし、あるいは、極間部付近の窪み部と対向する位置に極小のスリットがあってもよい。このような深さ寸法の異なる複数の窪み部を用いた改変形態によっても、永久磁石の表面の減磁耐力を改善できる他に、磁束が永久磁石の両端部に集中して流れるのを緩和することができ、永久磁石の両端部の減磁耐力を改善できるという効果が得られる。
【００４１】
実施の形態２．
次に、図７〜図１０を用いて、本発明に係る永久磁石埋込型電動機の実施の形態２について説明する。図７、図８、図９及び図１０はそれぞれ、本実施の形態２に関する、図２、図３、図４及び図５と同態様の図である。なお、本実施の形態２は、以下に説明する部分を除いては、上述した実施の形態１と同様であるものとする。
【００４２】
前述したように、本発明では、複数の永久磁石のそれぞれの径方向外側の表面と、回転子鉄心との間には、複数のスリットの対向する領域毎に、空間部が確保されており、実施の形態１では、それら空間部が磁石収容孔の外側画定ラインに設けられた複数の窪み部によって確保されていたが、本実施の形態２では、永久磁石の径方向外側の表面に設けられた複数の窪み部によって確保されている。
【００４３】
実施の形態２における回転子２００は、複数の磁石収容孔２１３を有する回転子鉄心２１２を備えている。磁石収容孔２１３それぞれにおける外側画定ライン２１３ａは、端部を除いて径方向と直交する方向に平面状に延びており、すなわち、外側画定ライン２１３ａには、実施の形態１の窪み部８に相当する凹部は形成されていない。
【００４４】
一方、外側画定ライン２１３ａそれぞれと対向する永久磁石２１４の径方向外側の表面２１４ｂには、挿入された状態で内側画定ライン１３ｂ側に凸となる複数の窪み部２０８が設けられている。そして、図１０に示されるように、複数の内側鉄心部１８と、永久磁石２１４の径方向外側の表面２１４ｂとの間には、複数の窪み部２０８の存在により確保された複数の空間部２１０が形成される。つまり、本実施の形態２においても、複数の永久磁石２１４のそれぞれの径方向外側の表面２１４ｂと、回転子鉄心２１２との間には、複数のスリット９の対向する領域毎に、空間部２１０が確保されており、永久磁石２１４の表面２１４ｂは、複数のスリット９の対向する領域毎に、空間部１０を介して回転子鉄心２１２から離れている。なお、これら窪み部２０８の深さ及び幅寸法は、実施の形態１で述べた窪み部の寸法と同態様であるものとする。
【００４５】
以上のように構成された本実施の形態２によっても、上記実施の形態１と同様な利点が得られ、電動機に発生する電磁加振力を抑制しつつも、含有材料による減磁防止作用に頼ることなく磁石の表面の減磁耐力を改善することができる。
【００４６】
実施の形態３．
次に、図１１を用いて、本発明に係る永久磁石埋込型電動機の実施の形態３について説明する。図１１は本実施の形態３に関する、図５と同態様の図である。なお、本実施の形態３も、以下に説明する部分を除いては、上述した実施の形態１と同様であるものとする。
【００４７】
本実施の形態３における回転子３００は、実施の形態１の窪み部８と、実施の形態２の窪み部２０８との双方が設けられている。すなわち、回転子３００の磁石収容孔１３の外側画定ライン１３ａには、複数の窪み部８が設けられており、回転子３００の永久磁石２１４の径方向外側の表面２１４ｂには、複数の窪み部２０８が設けられている。そして、複数のスリット９の対向する領域毎に確保された複数の空間部３１０は、それぞれ、回転子鉄心１２の窪み部８と永久磁石２１４の窪み部２０８とを合わせた空間として、これら一対の窪み部８、２０８によって確保されている。
【００４８】
かかる本実施の形態３によっても、上記実施の形態１と同様な利点が得られ、電動機に発生する電磁加振力を抑制しつつも、含有材料による減磁防止作用に頼ることなく磁石の表面の減磁耐力を改善することができる。また、複数のスリット９の対向する領域毎に、より大きな空間部を容易且つ効率的に確保することができ、永久磁石表面部の減磁耐力をより一層改善した永久磁石埋込型同期電動機を得ることができる。
【００４９】
なお、以上に説明した、実施の形態２及び３それぞれに関し、回転子鉄心に設けるスリットと、それに対応する外側画定ライン及び／又は径方向外側の表面の窪み部とを、図６に示した態様で設けることも可能である。
【００５０】
実施の形態４．
次に、本発明の実施の形態４として、上述した実施の形態１〜３の何れかの永久磁石埋込型電動機を搭載したロータリ圧縮機について説明する。なお、本発明は、上述した実施の形態１〜３の何れかの永久磁石埋込型電動機を搭載した圧縮機を含むものであるが、圧縮機の種別は、ロータリ圧縮機に限定されるものではない。
【００５１】
図１２は、永久磁石埋込型電動機を搭載したロータリ圧縮機の縦断面図である。ロータリ圧縮機１５０は、密閉容器２５内に、永久磁石埋込型電動機５０（電動要素）と、圧縮要素３０とを備えている。図示はしないが、密閉容器２５の底部に、圧縮要素３０の各摺動部を潤滑する冷凍機油が貯留されている。
【００５２】
圧縮要素３０は、主な要素として、上下積層状態に設けられたシリンダ２０と、電動機により回転する回転軸１１と、回転軸１１に嵌挿されるピストン２１と、シリンダ２０内を吸入側と圧縮側に分けるベーン（図示せず）と、回転軸１１が回転自在に嵌挿され、シリンダ２０の軸方向端面を閉塞する上下一対の上部フレーム２２ａ及び下部フレーム２２ｂと、上部フレーム２２ａ及び下部フレーム２２ｂにそれぞれ装着されたマフラ２４ａ及び２４ｂとを含んでいる。
【００５３】
永久磁石埋込型電動機５０の固定子１は、密閉容器２５に焼嵌または溶接等の方法により直接取り付けられ保持されている。固定子１のコイル４には、密閉容器２５に固定されるガラス端子２６から電力が供給される。
【００５４】
回転子１００は、固定子１の内径側に設けた空隙を介して配置されており、回転子１００の中心部の回転軸１１を介してロータリ圧縮機１５０の下部に設けた圧縮要素３０の軸受け部（上部フレーム２２ａ及び下部フレーム２２ｂ）により回転自在な状態で保持されている。
【００５５】
次に、かかるロータリ圧縮機１５０の動作について説明する。アキュムレータ４１から供給された冷媒ガスは、密閉容器２５に固定された吸入パイプ２８よりシリンダ２０内へ吸入される。インバータの通電によって永久磁石埋込型電動機５０が回転されていることで、回転軸１１に嵌合されたピストン２１がシリンダ２０内で回転される。それにより、シリンダ２０内では冷媒の圧縮が行われる。圧縮された高温の冷媒は、マフラ２４ａ及び２４ｂを経た後、永久磁石埋込型電動機５０の風穴等を通って密閉容器２５内を上昇する。このようにして、圧縮された冷媒が、密閉容器２５に設けられた吐出パイプ２９を通って冷凍サイクルの高圧側へと供給される。
【００５６】
尚、ロータリ圧縮機１５０の冷媒には、従来からあるＲ４１０Ａ、Ｒ４０７Ｃ、Ｒ２２等が用いられているが、低ＧＷＰ（地球温暖化係数）の冷媒等などいかなる冷媒も適用できる。地球温暖化防止の観点からは、低ＧＷＰ冷媒が望まれている。低ＧＷＰ冷媒の代表例として、以下の冷媒がある。
【００５７】
（１）組成中に炭素の二重結合を有するハロゲン化炭化水素：例えば、ＨＦＯ−１２３４ｙｆ（ＣＦ３ＣＦ＝ＣＨ２）である。ＨＦＯは、Ｈｙｄｒｏ−Ｆｌｕｏｒｏ−Ｏｌｅｆｉｎの略で、Ｏｌｅｆｉｎは、二重結合を一つ持つ不飽和炭化水素のことである。尚、ＨＦＯ−１２３４ｙｆのＧＷＰは４である。
（２）組成中に炭素の二重結合を有する炭化水素：例えば、Ｒ１２７０（プロピレン）である。尚、ＧＷＰは３で、ＨＦＯ−１２３４ｙｆより小さいが、可燃性はＨＦＯ−１２３４ｙｆより大きい。
（３）組成中に炭素の二重結合を有するハロゲン化炭化水素または組成中に炭素の二重結合を有する炭化水素の少なくともいずれかを含む混合物：例えば、ＨＦＯ−１２３４ｙｆとＲ３２との混合物等である。ＨＦＯ−１２３４ｙｆは、低圧冷媒のため圧損が大きくなり、冷凍サイクル（特に、蒸発器において）の性能が低下しやすい。そのため、ＨＦＯ−１２３４ｙｆより高圧冷媒であるＲ３２又はＲ４１等との混合物が実用上は有力になる。
【００５８】
上記低ＧＷＰ冷媒の内、Ｒ３２冷媒については、毒性がなく、強燃性でないことから、特に注目されている。また、ロータリ圧縮機１５０にＲ３２冷媒を用いた場合、従来から用いられているＲ４１０Ａ、Ｒ４０７Ｃ、Ｒ２２等と比べ、ロータリ圧縮機１５０の内部温度が約２０℃以上高くなるという特性を有する。
【００５９】
ロータリ圧縮機１５０の内部の温度は、圧縮負荷状態（回転速度、圧縮負荷トルク、冷媒）によって異なり、温度が安定した定常状態においては、特に回転速度に対して依存性が高くなっている。例えば、Ｒ４１０冷媒を使用したときの回転速度に対するロータリ圧縮機内部の温度上昇は、低速運転の５０〜６０℃に対し、中速運転では７０〜８０℃、高速運転では９０〜１１０℃となり、ロータリ圧縮機１５０の回転速度が大きくなるにしたがい、ロータリ圧縮機１５０の内部の温度が上昇するという特性を示す。Ｒ３２冷媒を用いた場合は、Ｒ４１０Ａ冷媒に対し、ロータリ圧縮機１５０内の温度が更に２０℃程度上昇することとなる。
【００６０】
以上に構成されたロータリ圧縮機においては、減磁耐力の大きい永久磁石埋込型電動機を用いているため、圧縮機の温度上昇によってＪ保磁力が低下した場合であっても、磁石の減磁が発生しない信頼性の高い圧縮機を提供できるという効果を奏する。また、ロータリ圧縮機の高温雰囲気中で永久磁石埋込型電動機を動作させた場合であっても、希土類磁石に添加するＤｙの使用量を低減して低コスト化を図りつつ、磁石の残留磁束密度を増加させて、電動機のトルクを増加することができるので、高効率な圧縮機を提供することが可能となる。
【００６１】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００６２】
１  固定子、８、１０８、２０８  窪み部、９、１０９  スリット、１０、１１０、２１０、３１０  空間部、１２、２１２  回転子鉄心、１３、２１３  磁石収容孔、１３ａ、２１３ａ  外側画定ライン、１４、２１４  永久磁石、１４ｂ、２１４ｂ  表面、５０  永久磁石埋込型電動機、１００、２００、３００  回転子。
【図１】
0005971669.tif 000002
【図２】
0005971669.tif 000003
【図３】
0005971669.tif 000004
【図４】
0005971669.tif 000005
【図５】
0005971669.tif 000006
【図６】
0005971669.tif 000007
【図７】
0005971669.tif 000008
【図８】
0005971669.tif 000009
【図９】
0005971669.tif 000010
【図１０】
0005971669.tif 000011
【図１１】
0005971669.tif 000012
【図１２】
0005971669.tif 000013